(57)【要約】【課題】カサ挿入状態で排水が可能で、片手でカサの挿入／抜出が可能で、排水操作も簡単で、構造が簡単で製造コストも安いカサ収納体を提供する。【解決手段】カサ収納体１は、（１）カサの挿入及び抜出用の上方開口部２４と、収容したカサを保持する閉鎖底部２５とを有する筒状カサ収容部２、（２）カサ収容部の側部に設けられ、手押し車に鉛直方向から偏向した方向にカサ収容部を着脱自在に取付可能な固定部４、（３）カサ収容部の下方領域２３の側部に設けられ、カサ収容部との連結部３２において通水可能であり、その連結部とは反対側の先端部に排水用開口部を有し、その排水用開口部を排水可能位置又は水滴落下防止位置に変換することができる排水部３、及び（４）排水用開口部が排水可能位置にある状態で、排水部を前記カサ収容部に係止することのできる係止手段３３を含む。【選択図】図４
2005312800.tif 000002
【特許請求の範囲】
【請求項１】
（１）カサの挿入及び抜出用の上方開口部と、収容したカサを、その石突部に接触して保持する閉鎖底部とを有する筒状のカサ収容部、重複部分を
（２）前記カサ収容部の側部に設けられ、手押し車に鉛直方向から偏向した方向に前記カサ収容部を着脱自在に取付可能な固定部、
（３）前記カサ収容部の下方領域側部に設けられ、前記カサ収容部との連結部において通水可能であり、その連結部とは反対側の先端部に排水用開口部を有し、その排水用開口部を排水可能位置又は水滴落下防止位置に変換することができる排水部、及び
（４）前記排水用開口部が排水可能位置にある状態で、前記排水部を前記カサ収容部に係止することのできる係止手段
を含むことを特徴とする、手押し車用カサ収納体。
【請求項２】
前記手押し車が、ベビーカー、車いす、ショッピングカー、又はシルバーカーである、請求項１に記載のカサ収納体。
【請求項３】
前記排水部が、前記カサ収容部との連結部を折り目として折り畳み可能なシート状排水部であり、手押し車に取り付けた場合に、前記排水部を、前記連結部にて前記カサ収容部側に折り畳んで、前記カサ収容部の側部に設けた係止手段によって係止することにより、排水部先端部の排水用開口部を水滴落下防止位置とすることができ、前記排水部を前記係止手段から取り外して連結部にて前記排水部を広げることによって排水部先端部の排水用開口部を排水可能位置とすることができる、請求項１又は２に記載のカサ収納体。
【請求項４】
前記排水部が、屈曲可能部分を含むホース状排水部であり、手押し車に取り付けた場合に、前記屈曲可能部分を折り曲げて、前記カサ収容部の側部に設けた係止手段によって係止することにより、排水部先端部の排水用開口部を水滴落下防止位置とすることができ、前記排水部を前記係止手段から取り外して排水部先端部の排水用開口部を排水可能位置とすることができる、請求項１又は２に記載のカサ収納体。
【請求項５】
前記排水部が、前記カサ収容部との連結部において回転可能で、屈曲部を有するエルボー型パイプ状排水部であり、手押し車に取り付けた場合に、前記排水部を前記連結部にて回転させ、前記カサ収容部の側部に設けた係止手段によって係止することにより、排水部先端部の排水用開口部を水滴落下防止位置とすることができ、前記排水部を前記係止手段から取り外して逆方向に回転させることによって排水部先端部の排水用開口部を排水可能位置とすることができる、請求項１又は２に記載のカサ収納体。
【請求項６】
前記カサ収容部が折り畳み可能なシート材料からなる、請求項１〜５のいずれか一項に記載のカサ収納体。
【請求項７】
折り畳んだ前記カサ収容部と前記排水部とを収容する小型ポケット部を前記カサ収容部の側部に備えた、請求項６に記載のカサ収納体。
【請求項８】
前記カサ収容部が、形状保持性を有する剛性材料からなる、請求項１〜５のいずれか一項に記載のカサ収納体。
【請求項９】
前記カサ収容部の下方領域側部において、閉鎖底部周縁に沿って複数個の排水部を設ける、請求項１〜５のいずれか一項に記載のカサ収納体。
【発明の詳細な説明】
【技術分野】
【０００１】
本発明は、ベビーカー（乳母車）などの手押し車に着脱自在に取り付けることのできるカサ収納体に関する。
【背景技術】
【０００２】
雨天の日にカサを差していた人が、スーパーマーケットやコンビニエンスストアなどのショッピングセンターの店内に入る場合には、濡れたカサから雫が落ちて店内の床を濡らしたり、汚したりすることを防止するために、店の入口で使い捨てのポリエチレン製袋にカサを挿入して入店し、再度外へ出る際に、ポリエチレン製袋を廃棄している。このような使い捨て型ポリエチレン製袋は、強度が不充分で先端が破れて雨水がこぼれることがあるだけでなく、資源節約やゴミ処理の点でも問題である。
【０００３】
こうした欠点を解消するために、繰返使用が可能な種々の収納袋が知られている（特許文献１〜３）。これらの収納袋においては、収納袋の先端部に溜まった雨水をその先端部自体から直接に排出する手段が設けられている。例えば、特許文献１に記載の雨傘収納袋では、先端部にネジ型の着脱自在なドレン部が設けられており、ネジを締め付けて先端部に取り付けた状態では先端部が閉鎖されて水滴落下防止状態となるのに対し、ネジをゆるめて先端部からネジ型ドレン部を取り外すことによって排水用開口部が形成される。従って、排水する場合は、カサ先端の石突（いしづき）部によって排水用開口部が閉鎖されないように、雨傘収納袋からカサを抜き出す必要がある。また、ネジ型ドレン部を取り外す操作を行っている際中に雨水が漏れてくるので、手が濡れたり汚れたりするだけでなく、ネジ型ドレン部を取り外した際に紛失してしまうことがあった。
【０００４】
また、特許文献２に記載の傘収納袋では、開口した端部を折り畳むことによって閉鎖先端部を形成して水滴落下防止状態とし、溜まった雨水を排水する場合には、カサを取り出し、折り畳んでおいた先端部を広げることによって開口部を露出し、その開口部から雨水を排水する。この特許文献２に記載の傘収納袋でも、先端開口部からカサ先端の石突部が飛び出すので、排水時にカサを取り出す必要がある。更に、特許文献３には、主に自動車の車内に懸架して（掛け下げて）使用する傘入れが記載されている。この傘入れも開口した端部を折り畳むことによって閉鎖先端部を形成して水滴落下防止状態とし、雨水を排水する場合には、カサを取り出し、折り畳んでおいた先端部を広げることによって開口部を露出し、その開口部から雨水を排水する。
【０００５】
【特許文献１】実用新案登録第３０８５３３１号明細書
【特許文献２】実開平７−３６７２４号公報
【特許文献３】実用新案登録第３０７５１４２号明細書
【発明の開示】
【発明が解決しようとする課題】
【０００６】
従来のカサ収納袋は、前記の通り、排水時にカサを挿入しておくと、開口部が閉鎖されたり、カサが抜け落ちたりするので、カサを取り出す必要があった。また、折り畳んでおいた部分を広げて排水を行う操作は必ずしも簡単な操作ではなく、煩雑であり、しかも手を濡らさずに行うことが実際上困難であった。更に、カサを挿入したり、取り出したりする際に、片手で操作することは困難であり、両手を使う必要があった。特に、ベビーカーと共にショッピングセンターなどに入店する際には、両手でカサの挿入／抜出を行うことは煩雑であった。
従って、本発明の課題は、カサを挿入した状態で排水を行うことができ、片手でカサの挿入／抜出を行うことができ、排水操作も簡単で手を濡らす可能性を少なくすることができ、構造が簡単で製造コストも安いカサ収納体を提供することにある。
【課題を解決するための手段】
【０００７】
前記の課題は、本発明による
（１）カサの挿入及び抜出用の上方開口部と、収容したカサを、その石突部に接触して保持する閉鎖底部とを有する筒状のカサ収容部、
（２）前記カサ収容部の側部に設けられ、手押し車に鉛直方向から偏向した方向に前記カサ収容部を着脱自在に取付可能な固定部、
（３）前記カサ収容部の下方領域側部に設けられ、前記カサ収容部との連結部において通水可能であり、その連結部とは反対側の先端部に排水用開口部を有し、その排水用開口部を排水可能位置又は水滴落下防止位置に変換することができる排水部、及び
（４）前記排水用開口部が排水可能位置にある状態で、前記排水部を前記カサ収容部に係止することのできる係止手段
を含むことを特徴とする、手押し車用カサ収納体によって解決することができる。
【０００８】
本発明のカサ収納体の１つの実施態様においては、前記排水部が、前記カサ収容部との連結部を折り目として折り畳み可能なシート状排水部であり、手押し車に取り付けた場合に、前記排水部を、前記連結部にて前記カサ収容部側に折り畳んで、前記カサ収容部の側部に設けた係止手段によって係止することにより、排水部先端部の排水用開口部を水滴落下防止位置（水滴落下防止状態）とすることができ、前記排水部を前記係止手段から取り外して連結部にて前記排水部を広げることによって排水部先端部の排水用開口部を排水可能位置（排水可能状態）とすることができる（以下、この実施態様を、折り畳みシート型収納体と称する）。
【０００９】
本発明のカサ収納体の別の実施態様においては、前記排水部が、屈曲可能部分を含むホース状排水部であり、手押し車に取り付けた場合に、前記屈曲可能部分を折り曲げて、前記カサ収容部の側部に設けた係止手段によって係止することにより、排水部先端部の排水用開口部を水滴落下防止位置（水滴落下防止状態）とすることができ、前記排水部を前記係止手段から取り外して排水部先端部の排水用開口部を排水可能位置（排水可能状態）とすることができる（以下、この実施態様を、蛇腹ホース型収納体と称する）。
【００１０】
本発明のカサ収納体の更に別の実施態様においては、前記排水部が、前記カサ収容部との連結部において回転可能で、屈曲部を有するエルボー型パイプ状排水部であり、手押し車に取り付けた場合に、前記排水部を前記連結部にて回転させ、前記カサ収容部の側部に設けた係止手段によって係止することにより、排水部先端部の排水用開口部を水滴落下防止位置（水滴落下防止状態）とすることができ、前記排水部を前記係止手段から取り外して逆方向に回転させることによって排水部先端部の排水用開口部を排水可能位置（排水可能状態）とすることができる（以下、この実施態様を、回転エルボーパイプ型収納体と称する）。
【発明の効果】
【００１１】
本発明のカサ収納体によると、例えば、ベビーカーの背もたれ支持フレームの側部ポールに簡単に取り付けることができ、その取り付けた状態で、片手でカサの挿入／抜出を行うことができ、水滴落下防止状態と排水可能状態とを簡単に切り替えることができ、しかも、カサを取り出した状態ではもちろんのこと、挿入した状態でも排水可能状態にすることができる。
【発明を実施するための最良の形態】
【００１２】
本明細書において「手押し車」とは、４輪（若しくは４輪型）又は２輪（若しくは２輪型）の小型車輪を有し、人間が手で押したり引いたりしながら移動させることができる車（カート）を意味し、例えば、ベビーカー（乳母車）、車いす、ショッピングカー（収納箱を有するカート）、又はシルバーカー（収納箱を有さない歩行用補助器）を挙げることができる。また、本明細書において「上」及び「下」、更には「底」などの方向を示す用語は、本発明によるカサ収納体を手押し車に装着して使用する状態において、重力方向に関する方向を基準として説明の便宜のために用いるものであり、それ以外の状態における方向を限定するものではない。
【００１３】
以下、添付図面に沿って、本発明によるカサ収納体の１つの実施態様である折り畳みシート型収納体に関して、最初に説明する。
図１〜図３は、本発明による折り畳みシート型収納体１を、４輪型ベビーカー１０に取り付けた状態を示す斜視図である。具体的には、図１は、カサ１３を挿入する前の折り畳みシート型収納体１の正面側の斜視図であり、図２は、図１の折り畳みシート型収納体１の背面側の斜視図であり、そして図３は、図１及び図２の折り畳みシート型収納体１に、２本のカサ１３ａ，１３ｂを挿入した状態の正面側の斜視図である。
【００１４】
図４は、前記の図１〜図３に示す本発明による折り畳みシート型収納体１を、４輪型ベビーカー１０に取り付ける前の状態の正面図であり、図５は、その背面図である。前記の折り畳みシート型収納体１は、筒状カサ収容部２と排水部３とを含む。その排水部３は、前記カサ収容部２の閉鎖底部２５を含む下方領域２３の側部に設けられている。筒状カサ収容部２は、例えば、１枚又は２枚のシート材料（例えば、図４に示すように表地シート２１及び裏地シート２２）を、縫合、超音波溶着、又はヒートシールなどにより、或いはそれらを組み合わせて筒状袋に一体化して形成することができ、上方端部にカサ１３の挿入及び抜出用の上方開口部２４を有し、下方端部に、カサ１３の石突部１３ｃの先端に接触して保持する閉鎖底部２５を有している。カサ収容部２は、図１〜図５に示すように２本のカサ１３ａ，１３ｂを収納可能な態様であるか、あるいは１本又は３本以上のカサを収納可能な態様とすることもできる。
【００１５】
前記カサ収容部２の閉鎖底部２５を含む下方領域２３の側部には、排水部３が設けられている。折り畳みシート型収納体１に設けられている排水部３は、前記カサ収容部２と排水部３との連結部３２を折り目として折り畳み可能であり、折り畳むか広げるかによって水滴落下防止状態と排水可能状態とを切り替えることができる。また、前記の連結部３２の内部は、前記カサ収容部２の側部で開口し、同様に排水部３の内部で開口しているので、前記カサ収容部２の閉鎖底部２５に溜まる雨水を、排水部３の側へ流すことができる。
【００１６】
図１〜図５は、連結部３２を折り目として前記排水部３を折り畳んだ状態であり、水滴落下防止状態を示している。一方、この排水部３を広げた状態、すなわち排水可能状態を図６に示す。前記排水部３の先端には、排水用開口部３１がある。図６に示すように、前記排水部３の先端領域に設けた係止手段としての面ファスナー３３ａと、カサ収容部２の外側表面に設けた係止手段としての面ファスナー３３ｂとにより、前記排水部３を折り畳んだ状態で係止することができる。
【００１７】
本発明による折り畳みシート型収納体１は、前記カサ収容部２の側部に固定部４を有している。この固定部４により、ベビーカー１０に着脱自在に取り付けることができる。具体的には、図１〜図３に示すように、２つのベルト状固定部４ａ，４ｂを、ベビーカー１０の背もたれ支持フレーム１１の側部ポール１２に２箇所で取り付けると、筒状カサ収容部２は、側部ポール１２と平行に取り付けられる。ベビーカー１０の側部ポール１２は、鉛直方向から偏向しているので、この側部ポール１２に取り付けられた筒状カサ収容部２も鉛直方向から偏向することになる。
【００１８】
次に、本発明による折り畳みシート型収納体１を、図１及び図２に示すようにベビーカー１０に装着した際における水滴落下防止状態と排水可能状態との切り替えについて、図７（模式的説明図）に沿って説明する。
図７において、直線Ｖは鉛直線であり、直線Ｐはベビーカー１０の側部ポール１２の延長線である。側部ポール１２は鉛直方向から偏向しているので、直線Ｐは、直線Ｖから偏向（角度α）している。前記カサ収容部２の側面は直線Ｐと平行であり、閉鎖底部２５は、前記カサ収容部２の側面（又は直線Ｐ）とほぼ直角の方向に延びている。従って、閉鎖底部２５の端部Ａは、本発明による折り畳みシート型収納体１を、ベビーカー１０に装着した際の前記カサ収容部２における重力方向最下点となる。
【００１９】
ここで、図７に示すとおり、排水部３が前記カサ収容部２との連結部３２において広げられている場合には、排水部３のガイド底部３５が延びる方向（直線Ｇ）が、水平線Ｈよりも下方に向いていると、前記カサ収容部２の閉鎖底部２５に溜まっていた雨水は、閉鎖底部２５の端部Ａからガイド底部３５を経由して排水用開口部３１の最下端部Ｂまでガイドされ、その最下端部Ｂから外部へ落下する。すなわち、閉鎖底部２５の端部Ａの位置よりも、排水用開口部３１の最下端部Ｂの位置が重力方向に関して下方に存在し、排水可能位置となる場合は、前記カサ収容部２の閉鎖底部２５に溜まっている雨水が排出されることになる。別の観点から述べれば、排水部３のガイド底部３５の延長線Ｇと直線Ｐとによって形成される角度βと前記角度αとの合計（α＋β）が９０°を超えると雨水が排出される。従って、本発明のカサ収納体１において、排水部３のガイド底部３５が、カサ収容部２の側面の延長線に対して傾斜する角度（前記角度βに相当）は、装着すべきベビーカー１０の側部ポール１２の偏向の程度（前記角度αに相当）から設計することができ、具体的には、以下の計算式：
β＝９０−α
から計算することができる。市販のベビーカーにおける側部ポールの偏向角（前記角度αに相当）は、一般的には、約３０°以上であるので、排水部３のガイド底部３５がカサ収容部２の側面延長線に対して傾斜する角度（前記角度βに相当）が、約６０°を超えれば汎用性が保証されると考えられ、約７０°以上とするのが好ましい。
【００２０】
次に、図７に破線で示すとおり、排水部３が前記カサ収容部２との連結部３２を折り目として折り畳まれている場合には、排水用開口部３１の最下端部Ｂ’の位置が、閉鎖底部２５の端部Ａの位置よりも、重力方向に関して上方に存在し、水滴落下防止位置となるので、前記カサ収容部２の閉鎖底部２５に溜まっている雨水は排出されず、水滴落下防止状態になる。なお、本発明による折り畳みシート型収納体１において、排水部３を折り畳んで水滴落下防止状態とする場合には、前記の排水用開口部３１の最下端部Ｂ’の位置を、閉鎖底部２５の端部Ａの位置よりも、重力方向に関して上方に存在させる折り畳み方であれば特に限定されず、折り畳む折り目の位置も連結部３２のみに限定されない。
【００２１】
また、前記の閉鎖底部２５の形状も、排水可能状態において、閉鎖底部２５に溜まっている雨水が、閉鎖底部２５の端部Ａに案内される形状であれば特に限定されず、前記カサ収容部２の側壁部から直角方向に延びる直線状だけでなく、直角よりも広い角度の方向に延びる直線状や、湾曲した曲線状であることもできる。更に、前記排水部３のガイド底部３５の形状も、排水可能状態において、閉鎖底部２５の端部Ａから実質的に全ての雨水が、排水用開口部３１の最下端部Ｂに案内される形状であれば特に限定されず、直線状に限らず湾曲した曲線状であることもできる。
【００２２】
続いて、本発明による折り畳みシート型収納体１の使用方法について説明する。
最初に、図１及び図２に示すように、本発明による折り畳みシート型収納体１をベビーカー１０に装着する。例えば、雨天の日にカサを差していた人が、スーパーマーケットなどの店内に入る場合には、図１に示すように、濡れたカサ１３を折り畳みシート型収納体１の上方開口部２４からカサ収容部２に挿入する。この挿入操作は、片手で簡単に行うことができる。また、本発明による折り畳みシート型収納体１のカサ収容部２には閉鎖底部２５があるので、カサ１３を安定に保持し、収納することができる。更に、店内に入る際には、排水部３を折り畳んで係止手段としての面ファスナー３３ａ，３３ｂによって係止し、水滴落下防止状態になっていることを確認する。
【００２３】
この水滴落下防止状態では、濡れたカサ１３から落下する雨水は、全て前記カサ収容部２の閉鎖底部２５に溜まり、外部に雨水が排出されることはない。続いて、スーパーマーケットなどの店内から外に出た後で、カサ１３を抜き出す。この抜出操作も極めて簡単に片手で行うことができる。次に、折り畳まれていた排水部３を係止から解除して広げると、閉鎖底部２５の端部Ａから雨水がガイドされ、排水用開口部３１の最下端部Ｂから外部へ落下するので、本発明による折り畳みシート型収納体１をベビーカー１０に装着した状態のままで、排水処理を行うことができる。また、店内から外に出た際に、雨が上がっている場合は、カサ１３をカサ収容部２に挿入した状態のままで排水部３を係止から解除して広げて排水可能状態とし、本発明による折り畳みシート型収納体１をベビーカー１０に装着し、更にカサ１３を挿入した状態のままで、排水処理を行うことができる。なお、折り畳まれていた排水部３を係止から解除して広げる操作も極めて簡単であり、その際に雨水に濡れることなく広げることができる。
【００２４】
図１〜図７に示した態様の本発明による折り畳みシート型収納体１をベビーカー１０の側部ポール１２に装着した状態で排水を実施可能にするためには、前記カサ収容部２の側面の内、排水部３を備えた側面が下方になるように、装着する必要がある。そのために、排水部３を備えた側面が上方になる場合には装着が不能になり、排水部３を備えた側面が下方になる場合のみ装着可能になる構造の固定部４を、前記カサ収容部２の側部に設けることが好ましい。あるいは、固定部４は、排水部３を備えた側面が上方になる場合も、下方になる場合も装着可能な構造とし、図１０に示すように、前記カサ収容部２の両方の側面にそれぞれ排水部３Ａ，３Ｂを設けることもできる。この態様では、排水部３Ａを設けた側面が下方になるように装着された場合には、その排水部３Ａを排水可能状態として排水を行い、排水部３Ｂを設けた側面が下方になるように装着された場合には、その排水部３Ｂを排水可能状態として排水を行うことができる。
【００２５】
本発明による折り畳みシート型収納体１は、前記カサ収容部２の閉鎖底部２５を含む下方領域側部と、前記排水部３とを防水性シート材料から形成することが好ましく、それ以外の筒状カサ収容部２を撥水性シート材料から形成することが好ましい。
【００２６】
本発明による折り畳みシート型収納体１は、図２や図５に示すとおり、筒状カサ収容部２の外側側面に、ポケット部６を備えていることができる。このポケット部６は、それ以外の折り畳みシート型収納体１の全体を折り畳んで収納することができる。図８及び図９に、折り畳みシート型収納体１の全体を折り畳んで収納した状態のポケット部６を示す。ポケット部６は、図８及び図９に現れている外面を表側とすれば、図２や図５には裏側が現れている。ポケット部６の表側に懸架用リング状紐部６１を有し、スナップボタン６２を有するのが好ましい。前記の懸架用リング状紐部６１を用いて、ベビーカー１０に懸架させることができる。あるいは、図９に示すとおり、２つのベルト状固定部４ａ，４ｂの内の一方のベルト状固定部４ｂによってベビーカー１０に着脱自在に取り付けることもできる。
【００２７】
次に、本発明によるカサ収納体の別の実施態様である蛇腹ホース型収納体に関して説明する。
図１１及び図１２は、それぞれ、本発明による蛇腹ホース型収納体１Ａの筒状カサ収容部２の下方領域２３及び蛇腹ホース型排水部３Ａの部分斜視図であり、図１１は、その水滴落下防止状態を示し、図１２は、その排水可能状態を示す。蛇腹ホース型収納体１Ａの筒状カサ収容部２は、例えば、剛性の合成樹脂からなり、その下方領域２３の側部に蛇腹ホース型排水部３Ａを有する。カサ収容部２は、蛇腹ホース型排水部３Ａとの連結部３２において、内部で開口しているので、前記カサ収容部２の閉鎖底部２５に溜まる雨水を、蛇腹ホース型排水部３Ａの側へ流すことができる。
【００２８】
図１２に示すように、蛇腹ホース型排水部３Ａは、その先端に排水用開口部３１を有するので、カサ収容部２の閉鎖底部２５の端部Ａの位置よりも、排水用開口部３１の最下端部Ｂの位置が重力方向に関して下方に存在し、排水可能位置となる場合は、前記カサ収容部２の閉鎖底部２５に溜まっている雨水が排出されることになる。一方、図１１に示すように、蛇腹ホース型排水部３Ａの蛇腹部Ｓを逆方向に屈曲させ、蛇腹ホース型排水部３Ａの先端に設けた係止手段３３ａと、前記カサ収容部２の側面に設けた係止手段３３ｂとによって蛇腹ホース型排水部３Ａを前記カサ収容部２の側面に係止し、排水用開口部３１の最下端部Ｂ’の位置が、閉鎖底部２５の端部Ａの位置よりも、重力方向に関して上方に存在する水滴落下防止位置にすると、前記カサ収容部２の閉鎖底部２５に溜まっている雨水は排出されず、水滴落下防止状態になる。
【００２９】
また、図１３及び図１４は、それぞれ、本発明による回転エルボーパイプ型収納体１Ｂの筒状カサ収容部２の下方領域２３及び回転エルボーパイプ型排水部３Ｂの部分斜視図であり、図１３は、その水滴落下防止状態を示し、図１４は、その排水可能状態を示す。回転エルボーパイプ型収納体１Ｂの筒状カサ収容部２は、例えば、剛性の合成樹脂からなり、その下方領域２３の側部に回転エルボーパイプ型排水部３Ｂを有する。カサ収容部２は、回転エルボーパイプ型排水部３Ｂとの連結部３２において、内部で開口しているので、前記カサ収容部２の閉鎖底部２５に溜まる雨水を、回転エルボーパイプ型排水部３Ｂの側へ流すことができる。
【００３０】
図１４に示すように、回転エルボーパイプ型排水部３Ｂは、その先端に排水用開口部３１を有するので、カサ収容部２の閉鎖底部２５の端部Ａの位置よりも、排水用開口部３１の最下端部Ｂの位置が重力方向に関して下方に存在し、排水可能位置となる場合は、前記カサ収容部２の閉鎖底部２５に溜まっている雨水が排出されることになる。一方、図１３に示すように、回転エルボーパイプ型排水部３Ｂを逆方向に回転させ、回転エルボーパイプ型排水部３Ｂの側面に設けた係止手段３３ａと、前記カサ収容部２の側面に設けた係止手段３３ｂとによって回転エルボーパイプ型排水部３Ｂを前記カサ収容部２の側面に係止し、排水用開口部３１の最下端部Ｂ’の位置が、閉鎖底部２５の端部Ａの位置よりも、重力方向に関して上方に存在する水滴落下防止位置にすると、前記カサ収容部２の閉鎖底部２５に溜まっている雨水は排出されず、水滴落下防止状態になる。
【００３１】
図１１及び図１２に示す本発明による蛇腹ホース型収納体１Ａ、及び図１３及び図１４に示す本発明による回転エルボーパイプ型収納体１Ｂにおいて、それらが、排水部を１つだけ備えている場合には、そのカサ収納体をベビーカーなどに装着した状態で排水を実施可能にするためには、カサ収容部の側面の内、排水部を備えた側面が下方になるように、装着する必要がある。従って、蛇腹ホース型収納体１Ａ、及び回転エルボーパイプ型収納体１Ｂにおいても、排水部を備えた側面が上方になる場合には装着が不能になり、排水部を備えた側面が下方になる場合のみ装着可能になる構造の固定部を、前記カサ収容部の側部に設けることが好ましい。
【００３２】
あるいは、図１０に沿って説明したとおり、前記カサ収容部２の下方領域２３の側部において、閉鎖底部２５の周縁に沿って２つ又はそれ以上の排水部を設けることにより、固定部として、排水部を備えた側面が上方になる場合も、下方になる場合も装着可能な構造の固定部を用いることもできる。
【００３３】
本発明によるカサ収納体は、筒状カサ収容部の上方領域に、懸架用リング状紐部を備えることが好ましい。図１〜図７に示す折り畳みシート型収納体１については、図２や図４〜図６に示すとおり、筒状カサ収容部２の上方領域に、懸架用リング状紐部７を備える態様を示した。この懸架用リング状紐部７を利用して、例えば、自動車の室内に懸架させることができる。
【００３４】
本発明のカサ収納体は、前記の通り、ベビーカー（乳母車)に装着して使用することができるだけでなく、車いす、ショッピングカー、又はシルバーカーにも装着して使用することができる。
４輪若しくは４輪型の車いす、ショッピングカー、又はシルバーカーに装着する場合には、筒状カサ収容部が鉛直方向に対して偏向した方向に延びるように取り付け、しかも、排水可能状態の排水部から、雨水が排出される方向に取り付けることが必要である。
また、２輪若しくは２輪型のショッピングカー又はシルバーカーに装着する場合は、それらのショッピングカー又はシルバーカーの少なくとも或る使用形態において、筒状カサ収容部が鉛直方向に対して偏向した方向に延び、しかも、排水可能状態の排水部から、雨水が排出される方向に取り付けることが必要である。
【産業上の利用可能性】
【００３５】
本発明によれば、ベビーカー（乳母車)などの手押し車の装着することによって、カサを挿入した状態で排水を行うことができ、片手でカサの挿入／抜出を行うことができ、排水操作も簡単で手を濡らす可能性を少なくすることができ、構造が簡単で製造コストも安いカサ収納体用カサ収納体が提供される。
【図面の簡単な説明】
【００３６】
【図１】ベビーカー装着状態の本発明によるカサ収納体の正面側の斜視図である。
【図２】ベビーカー装着状態の本発明によるカサ収納体の背面側の斜視図である。
【図３】ベビーカー装着状態で２本のカサを挿入した本発明によるカサ収納体の正面側の斜視図である。
【図４】本発明によるカサ収納体の正面図である。
【図５】本発明によるカサ収納体の背面図である。
【図６】本発明によるカサ収納体の排水可能状態を示す正面図である。
【図７】本発明によるカサ収納体の水滴落下防止状態と排水可能状態とを示す模式的説明図である。
【図８】本発明によるカサ収納体を折り畳んでポケット部に収納した状態の正面側の斜視図である。
【図９】本発明によるカサ収納体を折り畳んでポケット部に収納した状態の背面側の斜視図である。
【図１０】本発明によるカサ収納体の別な態様の部分正面図である。
【図１１】水滴落下防止状態にある本発明によるカサ収納体の別な態様を示す部分斜視図である。
【図１２】図１１のカサ収納体の排水可能状態を示す部分斜視図である。
【図１３】水滴落下防止状態にある本発明によるカサ収納体の別な態様を示す部分斜視図である。
【図１４】図１３のカサ収納体の排水可能状態を示す部分斜視図である。
【符号の説明】
【００３７】
１・・・折り畳みシート型収納体；
１Ａ・・・蛇腹ホース型収納体；１Ｂ・・・回転エルボーパイプ型収納体；
２・・・筒状カサ収容部；３，３Ａ，３Ｂ・・・排水部；４・・・固定部；
４ａ，４ｂ・・・ベルト状固定部；６・・・ポケット部；７・・・懸架用リング状紐部；
１０・・・４輪型ベビーカー；１１・・・背もたれ支持フレーム；
１２・・・側部ポール；１３，１３ａ，１３ｂ・・・カサ；１３ｃ・・・石突部；
２１・・・表地シート；２２・・・裏地シート；２３・・・下方領域；
２４・・・上方開口部；２５・・・閉鎖底部；３１・・・排水用開口部；
３２・・・連結部；３３ａ，３３ｂ・・・係止手段；３５・・・ガイド底部；
６１・・・懸架用リング状紐部；６２・・・スナップボタン；
Ａ・・・カサ収容部重力方向最下点；
Ｂ，Ｂ’・・・排水用開口部最下端部； 
Ｇ・・・ガイド底部延長線； 
Ｈ・・・水平線；
Ｐ・・・側部ポール延長線；
Ｓ・・・蛇腹部；
Ｖ・・・鉛直線。
【図１】
2005312800.tif 000003
【図２】
2005312800.tif 000004
【図３】
2005312800.tif 000005
【図４】
2005312800.tif 000006
【図５】
2005312800.tif 000007
【図６】
2005312800.tif 000008
【図７】
2005312800.tif 000009
【図８】
2005312800.tif 000010
【図９】
2005312800.tif 000011
【図１０】
2005312800.tif 000012
【図１１】
2005312800.tif 000013
【図１２】
2005312800.tif 000014
【図１３】
2005312800.tif 000015
【図１４】
2005312800.tif 000016